(57)【要約】【課題】壁面の如何なる位置に取り付けたとしても開き戸が確実に戸当たり部材に対して長手方向の端部に接触することができ、長手方向以外の方向の外力が作用したとき、この外力に応じて変形することができる戸当たりを提供する。【解決手段】戸当たりＣは、先端１１ａが開き戸と接触する棒状の筒体１１と、筒体１１の内部に配置された可撓性を有するワイヤ１２と、ワイヤ１２の一端を取り付けた台座２１と、筒体１１の内部に配置されワイヤ１２に張力を付与して筒体１１を台座２１に圧接させるばね１４と、壁面に固定され台座２１を一平面内で回動可能に且つ所定位置で固定可能に取り付けた固定台座２２とを有する。  【選択図】    図４
2007170037.tif 000002
【特許請求の範囲】
【請求項１】
先端部が開き戸と接触する戸当たり部材を有する第１の台座と、壁面に固定される第２の台座を有し、前記第１の台座が第２の台座に対し一平面内で回動可能に且つ所定位置で固定可能に構成したことを特徴とする戸当たり。
【請求項２】
先端が開き戸と接触する棒状の筒体と、前記筒体の内部に配置された可撓性を有するワイヤ状の部材と、壁面に固定されると共に前記棒状の筒体の後端が当接し且つ該棒状の筒体の内部に配置されたワイヤ状の部材の一端を取り付けた固定部材と、前記筒体の内部に配置され前記ワイヤ状の部材に張力を付与して筒体を固定部材に圧接させる張力付与部材と、を有することを特徴とする戸当たり。
【請求項３】
先端が開き戸と接触する棒状の筒体と、前記筒体の内部に配置された可撓性を有するワイヤ状の部材と、前記棒状の筒体の後端が当接し且つ該棒状の筒体の内部に配置されたワイヤ状の部材の一端を取り付けた台座と、前記筒体の内部に配置され前記ワイヤ状の部材に張力を付与して筒体を台座に圧接させる張力付与部材と、壁面に固定され前記台座を一平面内で回動可能に且つ所定位置で固定可能に取り付けた固定台座とを有することを特徴とする戸当たり。
【発明の詳細な説明】
【技術分野】
【０００１】
本発明は、開き戸を開いたときに該開き戸の壁面に対する衝突を確実に防止することができ、且つ歩行や掃除の際に邪魔になることのないように構成した戸当たりに関するものである。
【背景技術】
【０００２】
開き戸は、開いたときに壁面と衝突して該開き戸や壁面を傷つける虞があるため、壁面の上方又は下方部位に開き戸と接触する戸当たりを取り付けるのが一般的である。このような戸当たりは、壁面に固定されるベース部材と、ベース部材から起立して構成され先端部に開き戸が接触し得るように構成された棒状の部材と、からなり、両者が一体的に固定された剛体として構成されている。従って、ベース部材を壁面に固定したとき、棒状の部材が壁面から略直角に起立することとなり、開放された開き戸が棒状の部材の先端に接触して壁面に対する衝突が防止される。
【０００３】
このような戸当たりは、壁面に対する取付位置が規定されることはなく、周囲の状況に応じて適宜の位置に取り付けられる。このため、戸当たりの壁面に於ける取付位置に応じて該戸当たりに対する開き戸の接触角度が変化することとなり、開き戸が棒状の部材に衝突したとき、該棒状の部材には倒れ方向の力が作用することになる。
【０００４】
また戸当たりの棒状の部材が常に壁面から略直角に起立した状態となっており、取付位置によっては、子供が棒状の部材に乗って遊んだときにはこのときの荷重がベース部材を介して壁面に伝えられ該壁面が破損するような虞や、歩行者が衝突したようなときには該歩行者が怪我をする虞がある。更に、周囲を歩行したり、掃除したりするような場合に邪魔になる虞がある。このため、特許文献１に記載された戸当たりでは、戸当たり部に対し該戸当たり部の長手方向以外の方向の外力が作用したとき、戸当たり部が屈折して歩行者や掃除の邪魔にならないように構成されている。
【０００５】
【特許文献１】特開２００１−２７９９９７
【発明の開示】
【発明が解決しようとする課題】
【０００６】
上記したように、ベース部材に対し棒状の部材を略直角に起立させた戸当たりでは、強い力で開き戸を開いて該開き戸が棒状の部材に衝突したような場合、或いは歩行者や掃除機が棒状の部材に衝突したような場合、該棒状の部材には倒れ方向の力が作用し、ベース部材の一方側には壁面から離脱するような力が作用することになる。このため、棒状の部材が棄損したり、ベース部材が壁面から脱落する等の障害が生じる虞がある。
【０００７】
また特許文献１に記載された戸当たりも同様に、戸当たり部に対して開き戸が接触する際の角度は戸当たり部の長手方向に一致するものではなく、戸当たりの壁面への取付位置との関係で該戸当たりを倒す方向から接触する。このため、開き戸が衝撃的に戸当たり部に衝突すると、この衝撃で戸当たり部が屈折してしまい、この結果、開き戸が壁面に衝突してしまうという問題がある。
【０００８】
本発明の目的は、壁面の如何なる位置に取り付けたとしても開き戸が確実に戸当たり部材に対して長手方向の端部に接触することができる戸当たりと、長手方向以外の方向の外力が作用したとき、この外力に応じて変形することができる戸当たりを提供することにある。
【課題を解決するための手段】
【０００９】
上記課題を解決するために本発明に係る第１の戸当たりは、先端部が開き戸と接触する戸当たり部材を有する第１の台座と、壁面に固定される第２の台座を有し、前記第１の台座が第２の台座に対し一平面内で回動可能に且つ所定位置で固定可能に構成したものである。
【００１０】
また第２の戸当たりは、先端が開き戸と接触する棒状の筒体と、前記筒体の内部に配置された可撓性を有するワイヤ状の部材と、壁面に固定されると共に前記棒状の筒体の後端が当接し且つ該棒状の筒体の内部に配置されたワイヤ状の部材の一端を取り付けた固定部材と、前記筒体の内部に配置され前記ワイヤ状の部材に張力を付与して筒体を固定部材に圧接させる張力付与部材とを有するものである。
【００１１】
更に第３の戸当たりは、先端が開き戸と接触する棒状の筒体と、前記筒体の内部に配置された可撓性を有するワイヤ状の部材と、前記棒状の筒体の後端が当接し且つ該棒状の筒体の内部に配置されたワイヤ状の部材の一端を取り付けた台座と、前記筒体の内部に配置され前記ワイヤ状の部材に張力を付与して筒体を台座に圧接させる張力付与部材と、壁面に固定され前記台座を一平面内で回動可能に且つ所定位置で固定可能に取り付けた固定台座とを有するものである。
【発明の効果】
【００１２】
本発明に係る第１の戸当たりでは、戸当たり部材を有する第１の台座が壁面に固定される第２の台座に対して一平面内で回動可能に、且つ所定位置で固定可能に構成したので、第１の戸当たりを構成する第２の台座を壁面に於ける開放した開き戸に対向し得る位置に取り付けると共に、第１の台座を回動させて戸当たり部材の先端部が開放した開き戸と接触したときに戸当たり部材の長手方向（軸方向）に力が作用し得るような角度に調整して固定することができる。
【００１３】
即ち、第１の戸当たりを壁面に於ける開放した開き戸と対向する如何なる位置に取り付けたとしても、戸当たり部材を開放した開き戸に対し垂直になるように、第２の台座に対する第１の台座の回動角度を調整して固定することができる。このため、開き戸が戸当たり部材の先端部分に衝撃的に衝突した場合でも、戸当たり部材には常に軸方向に一致した力が作用することとなり、この力を第２の台座を介して壁面に伝えることができる。従って、第２の台座が壁面から離脱するようなことがなく、安定した取付状態を維持することができる。
【００１４】
上記の如く、第１の戸当たりでは、該戸当たりの壁面に対する取付位置の選択の自由度を向上させることができる。
【００１５】
また本発明に係る第２の戸当たりでは、棒状の筒体の後端が、内部に配置され且つ一端が固定部材に取り付けられたワイヤ状の部材に作用する張力によって固定部材に圧接している。このため、棒状の筒体に該筒体の軸方向以外の方向の外力が作用したとき、この外力に応じて筒体が固定部材に対して屈折し、この屈折に伴ってワイヤ状の部材が屈曲して相対的に張力付与部材によるワイヤ状の部材に作用する張力が増加する。そして、筒体に対する外力の作用が排除されたとき、ワイヤ状の部材に作用している張力によって筒体が初期の姿勢に復帰することができる。
【００１６】
上記の如く、第２の戸当たりでは、棒状の筒体に子供が乗ろうとしたり、歩行者や掃除機が筒体に衝突しても、該棒状の筒体が簡単に屈折し、壁面に対して力が伝えられることがなく該壁面の損傷を防止し、且つ歩行者や掃除機に損傷を与えることがなく、これらに対して邪魔になることがない。
【００１７】
更に、本発明に係る第３の戸当たりでは、上記第１の戸当たりと第２の戸当たりを組み合わせた構成とすることによって、壁面の何れの位置に取り付けた場合であっても、確実に開き戸の接触方向を筒体の軸方向と一致させることができ、且つ筒体が歩行や掃除の邪魔をすることがない。即ち、壁面に対する取付位置の選択の自由度が向上し、且つ居住者に対する障害となることがない。
【発明を実施するための最良の形態】
【００１８】
以下本発明に係る戸当たりの構成について図を用いて説明する。
【実施例１】
【００１９】
図１は第１実施例に係る戸当たりＡの構成を説明する図である。本実施例に係る戸当たりＡは、壁面のどのような部位に取り付けられていても、取付位置に応じて戸当たり部材の角度を変更することで、開き戸を開放して戸当たり部材に接触したとき、該開き戸が戸当たり部材の長手方向（軸方向）に対し一致した方向に力を伝え得るようにしたものである。
【００２０】
このため、戸当たりＡは、先端部１ａが開き戸と接触する戸当たり部材１を有する第１の台座２と、壁面４に固定される第２の台座３とを有しており、第１の台座２が第２の台座３に対し回動可能に、且つ所定の回動位置で固定可能に構成されている。
【００２１】
戸当たり部材１は剛性を持った棒状の部材からなり、先端部１ａは開き戸が衝撃的に衝突した場合でもこの衝撃を吸収し得るようにゴム等の弾性体によって構成されることが好ましい。戸当たり部材１は後端部１ｂが第１の台座２と当接しており、両者が当接した状態で互いに固定されるか、分離した状態を保持するかは限定するものではない。例えば戸当たり部材１と第１の台座２を固定する場合にはねじ結合や溶接等の手段を採用することが可能であり、両者を分離した状態とする場合には戸当たり部材１を第２の台座２に圧接させるような機構を採用することが可能である。
【００２２】
第１の台座２を第２の台座３に対し一平面内で回動可能に且つ所定の回動位置で固定可能に構成する機構は特に限定するものではなく、回動軸を中心に回動、固定可能に構成する構造や、各台座１、２に夫々円弧状の摺動面を形成して互いに接触させておき、この摺動面に沿って摺動させることで回動、固定可能に構成する構造等があり、何れも好ましく採用することが可能である。
【００２３】
本実施例では、第１の台座２及び第２の台座３を貫通したねじを形成した軸５を配置し、該軸５を中心として第１の台座２を第２の台座３に対して一平面内で回動させると共にねじを締め付けることで、固定させるように構成している。
【００２４】
上記の如く構成された戸当たりＡでは、軸５を緩めて第１の台座２を第２の台座３に対して回動可能とし且つ軸５の長手方向を開き戸の回転中心と平行に配置して、第２の台座３を壁面に於ける開放された開き戸と対向する位置に固定し、開き戸を開放して戸当たり部材１の先端部１ａに接触させながら、第１の台座２を第２の台座３に対して回動させて開き戸が戸当たり部材１の軸方向に対し略垂直に接触し得る角度に調整し、この角度で固定することが可能である。即ち、壁面４に対する戸当たりＡの取付位置の選択の自由度を向上させることが可能となる。
【００２５】
従って、開き戸が戸当たり部材１の先端部１ａに強い力で衝突した場合でも、衝撃力が戸当たり部材１の軸方向に一致した方向に作用するため、この力は軸５、第２の台座３を介して略均等に壁面４に伝えられる。このため、第２の台座３に壁面４から離脱するような力が作用することがなく、長期間安定した取付状態を維持することが可能である。
【実施例２】
【００２６】
次に第２実施例に係る戸当たりＢの構成について説明する。図２は戸当たりＢの構成を模式的に説明する断面図である。図３は戸当たりＢの作用を説明する図である。
【００２７】
本実施例に係る戸当たりＢは、壁面から起立して配置された筒体に対し、該筒体の軸方向に対し交叉する方向の力が作用したとき、この力に応じて筒体が屈折し且つ力の作用が排除されたとき筒体が起立状態に復帰し得るように構成したものである。
【００２８】
このため、戸当たりＢは、棒状の筒体１１と、筒体１１の内部に配置された可撓性を有するワイヤ状の部材となるワイヤ１２と、壁面４に固定されると共にワイヤ１２の一端を取り付けた固定部材１３と、ワイヤ１２に張力を付与する張力付与部材を構成するバネ１４及びバネ１４の端部を受ける固定バネ受け１７，可動バネ受け１８，可動バネ受け１８を固定するナット１６と、を有して構成されている。
【００２９】
筒体１１は適度な剛性を有し、先端１１ａには開き戸が衝突したときの衝撃力を吸収するためにゴム等の弾性体１５が取り付けられている。筒体１１の断面形状は特に限定するものではなく、円筒や角筒等の筒体を利用することが可能である。しかし、取付時の方向性を有しないことから、筒体１１は円筒であることが好ましい。また筒体１１を構成する材料も特に限定するものではなく、防錆処理した鋼管やステンレス鋼管或いはアルミニウム管等を好ましく利用することが可能である。
【００３０】
筒体１１は、内部にバネ１４を収容し得る内径を有することが必要である。また筒体１１の長さは、固定部材１３及び弾性体１５と共に戸当たりとしての機能を発揮し得るのに十分な寸法を有している。
【００３１】
ワイヤ１２は可撓性を有する材料によって構成され、常に作用するバネ１４の張力に対して十分に対抗し得る強度を有している。そして、筒体１１に該筒体１１の軸方向に交叉する方向の外力が作用して筒体１１が固定部材１３に対して屈折したとき、この屈折状態に追従し、筒体１１に作用する外力が排除されたとき、作用する張力によって直線性を復帰しこれに伴って筒体１１を固定部材１３に対して起立状態に復帰させる。
【００３２】
ワイヤ１２は上記の如き機能を有するものであれば良く、鋼線やステンレス鋼線或いは合成樹脂や炭素繊維等からなる複数の線を撚って構成したものを利用することが可能であり、或いはしなやかな１本の線によって構成したものを利用することも可能である。
【００３３】
ワイヤ１２は、一端が固定部材１３を貫通して配置されると共に該端部に取り付けたナット１６によって固定部材１３に取り付けられている。またワイヤ１２には、該ワイヤ１２を貫通させて固定バネ受け１７及び可動バネ受け１８が配置されると共に、これらのバネ受け１７、１８の間にバネ１４が配置されている。固定バネ受け１７は、例えば筒体１１の内周面にねじ等の手段で固定し得るように構成されており、可動バネ受け１８はワイヤ１２に沿って移動し得るように構成され、所望の移動位置でナット１６によってワイヤ１２に固定し得るように構成されている。
【００３４】
従って、一端が固定部材１３に取り付けられたワイヤ１２を筒体１１に固定された固定バネ受け１７に挿通し、このワイヤ１２にバネ１４を取り付けると共に可動バネ受け１８を取り付け、更に、可動バネ受け１８をワイヤ１２に沿って移動させて固定バネ受け１７との距離を調整することでバネ１４の撓み量を調整して発生する張力を適度な値に設定し、この状態でワイヤ１２にナット１６を取り付けて可動バネ受け１８をワイヤ１２に固定する。これにより、ワイヤ１２に作用する張力の値を所望の値に設定することが可能である。
【００３５】
ナット１６はワイヤ１２を把持して一体化することで固定する機能を有するものであり、この機能を発揮し得る構造であれば利用することが可能である。本実施例では、中心にワイヤ１２を挿通する穴を有し、スパナ掛け部と該スパナ掛け部から突起し外周に雄ねじが形成されると共に長手方向に沿って複数に分割された把持部を有する把持部材と、該把持部材の雄ねじに螺合するナット部材とからなり、ナット部材を把持部材に締結することで把持部の内径が縮小されてワイヤを把持し得るように構成したナット１６を用いている。
【００３６】
固定部材１３は、壁面４に固定されると共に筒体１１を保持する機能を有する。このため、固定部材１３は、壁面４に対する固定片１３ａと、筒体１１の起立位置を規定する座１３ｂを有し、座１３ｂが固定片１３ａの面から離隔し得るように凸字状に構成されている。座１３ｂは筒体１１の内部に嵌合して該筒体１１の起立位置を安定して保持し得るように内径に対応させた突起状に形成され、中心にはワイヤ１２を貫通させる穴が形成されている。
【００３７】
上記形状を持った固定部材１３では、座１３ｂに形成された穴にワイヤ１２を貫通させてナット１６を締結したとき、該ナット１６が壁面４に干渉することがない。
【００３８】
上記の如く構成された戸当たりＢでは、ワイヤ１２にはバネ１４によって常に張力が付与されることとなり、この張力の作用によって直線状を維持すると共に、図３（ａ）に示すように、筒体１１の後端１１ｂを固定部材１３の座１３ｂに圧接させて、該筒体１１の固定部材１３に対する起立状態を維持することが可能である。
【００３９】
そして、同図（ｂ）に示すように、筒体１１に軸方向に対して交叉する方向の力が作用したとき、この力に応じて筒体１１の後端１１ｂが固定部材１３から離脱して該固定部材１３に対して屈折する。筒体１１の後端１１ｂが固定部材１３の座１３ｂから離脱して屈折するのに伴って、筒体１１に固定された固定バネ受け１７が座１１ｂから離隔し、ワイヤ１２に固定された可動バネ受け１８は筒体１１に対して相対的に移動することになる。このため、固定バネ受け１７と可動バネ受け１８との距離が小さくなり、バネ１４が圧縮することになる。即ち、筒体１１の固定部材１３に対する屈折に伴ってワイヤ１２が屈曲し、同時にワイヤ１２に作用する張力が増大する。
【００４０】
更に、筒体１１に作用する上記力が除去されたとき、屈曲して増大した張力が作用しているワイヤ１２は直線状態に戻ろうとし、この力が固定バネ受け１７を介して筒体１１に作用し、該筒体１１が初期の状態に復帰して固定部材１３から起立すると共に後端１１ｂが座１３ｂに圧接する。
【００４１】
従って、壁面４に取り付けた戸当たりＢの筒体１１に子供が乗ろうとしても簡単に屈折して乗ることができず、壁面に対して余計な力を作用させることがない。また、筒体１１に歩行者や掃除機の吸引ノズルが衝突した場合でも、この衝突によって筒体１１が固定部材１３から屈折して退避することが可能となり、歩行者や掃除機に損傷を与えることがなく、且つ歩行や掃除の際に障害となることがない。
【実施例３】
【００４２】
次に第３実施例に係る戸当たりＣの構成について説明する。図４は戸当たりＣの構成を説明する三面図である。図５は戸当たりＣの回動状態を説明する図である。尚、図に於いて、前述した第１、第２実施例と同一の部分及び同一の機能を有する部分には同一の符号を付して説明を省略する。
【００４３】
本実施例に係る戸当たりＣは、前述した第１実施例に係る戸当たりＡに於ける第１の台座２の第２の台座３に対する回動、固定可能にした構成と、第２実施例に於ける筒体１１を固定部材１３に対して屈折し得るようにした構成と、を組み合わせたものであり、壁面４に対する取付位置を選択する自由度を向上させると共に歩行や掃除の障害となることがない。
【００４４】
図に於いて、戸当たりＣは、第２実施例に於ける筒体１１、ワイヤ１２、バネ１４を有しており、筒体１１の後端１１ｂが台座２１に設けた座２１ａに規制されて起立している。台座２１は壁面に固定される固定台座２２に対し一平面内で回動可能に且つ所望の位置で固定可能に構成されている。即ち、筒体１１は第１実施例に於ける戸当たり部材１に相当し、台座２１は第１実施例に於ける第１の台座２に相当し、更に、固定台座２２は第１実施例に於ける第２の台座３に相当する。
【００４５】
筒体１１の先端１１ａ及び後端１１ｂの内部には夫々ねじが形成されており、先端１１ａのねじには弾性体１５が締結されることで取り付けられ、後端１１ｂのねじには固定バネ受け１７が螺合することで取り付けられている。
【００４６】
ワイヤ１２の一端は台座２１の座２１ａを貫通して延長され、該延長部にナット１６が締結されることで台座２１に取り付けられている。またワイヤ１２の他端には可動バネ受け１８が移動可能に取り付けられており、ワイヤ１２に対し所望の張力を付与し得る位置でナット１６によって固定されている。
【００４７】
台座２１は、座２１ａを含んで形成された円弧部２１ｂと、円弧部２１ｂの端縁から側面にわたって形成されたフランジ部２１ｃとを有しており、円弧部２１ｂを構成する円弧の中心軸上に於ける一方のフランジ部２１ｃには単なる穴が形成され、他方のフランジ部２１ｃにはバリング部２１ｄが形成され該バリング部２１ｄに雌ねじが形成されている。
【００４８】
固定台座２２は、台座２１を嵌合する穴２２ａが形成された円弧部２２ｂを有しており、該円弧部２２ｂの基部に壁面に対する固定部２２ｃが形成されている。円弧部２２ｂと固定部２２ｃとの間には側面部２２ｄが形成されており、一方の側面部２２ｄには回動軸となる皿ねじ２３の頭部の形状と類似したバリング部２２ｅが形成されると共に、他方の側面部２２ｄであってバリング部２２ｅと同一軸上に皿ねじ２３の先端部を嵌合する穴が形成されている。
【００４９】
台座２１は固定台座２２の形成された穴２２ａを介して側面部２２ｄの間に配置され、フランジ部２１ｃに形成された穴とバリング部２１ｄを貫通する軸と、固定台座２２の側面部２２ｄに形成されたバリング部２２ｅと穴とを貫通する軸と、を一致させて、バリング部２２ｅ側から皿ねじ２３を挿通し、該皿ねじ２３を台座２１のバリング部２１ｄに形成された雌ねじに螺合させ、更に、皿ねじ２３の先端が固定台座２２の側面部２２ｄに形成された穴を貫通させることで、筒体１１を取り付けた台座２１が固定台座２２にとりつけられ、これにより、戸当たりＣが構成されている。
【００５０】
上記の如く構成された戸当たりＣでは、皿ねじ２３の台座２１のバリング部２１ｄに形成された雌ねじに対する螺合を緩めておくことで、図５に示すように、台座２１を固定台座２２に対し皿ねじ２３の取付方向に対して直交する平面内で回動させることが可能である。そして台座２１の回動に伴って筒体１１の軸方向が開放した開き戸に対し略直角となる位置に到達したとき、皿ねじ２３を締め付けることで、固定台座２２のバリング部２２ｅと台座２１のフランジ部２１ｃを圧接させ、これにより、台座２１を固定台座２２に対し固定することが可能となる。
【００５１】
従って、戸当たりＣを壁面に於ける如何なる位置に取り付けた場合であっても、筒体１１の軸方向を開放された開き戸に対し略直交する方向になるような角度に調整することが可能となり、戸当たりＣの壁面に対する取付位置の選択の自由度を向上することが可能となる。
【００５２】
また開き戸が閉じている状態で、戸当たりＣの筒体１１が壁面から起立していることになり、歩行者や掃除機等が筒体１１に衝突した場合、該筒体１１が台座２１に設けた座２１ａから離脱して屈折するため、歩行者や掃除機に大きな力が作用することがなく、この結果戸当たりＣにも大きな力が作用することがない。
【００５３】
尚、実施例２、３では、筒体１１の内部に配置されたワイヤ１２に対して張力を付与する張力付与部材としてのバネ１４を圧縮バネによって構成したが、必ずしも圧縮バネである必要はなく、引張バネを利用することも可能である。この場合、ワイヤ１２の適当な位置にナット１６を固定しておき、該ナット１６と筒体１１の先端１１ａ側に設けた弾性体１５との間に引張バネを取り付けることで良い。
【産業上の利用可能性】
【００５４】
本発明に係る戸当たりは外壁や屋内の間仕切壁の何れにも適用することが可能であり、住宅建築やオフィスビルに於ける開き戸に利用することが可能である。
【図面の簡単な説明】
【００５５】
【図１】第１実施例に係る戸当たりＡの構成を説明する図である。
【図２】戸当たりＢの構成を模式的に説明する断面図である。
【図３】戸当たりＢの作用を説明する図である。
【図４】戸当たりＣの構成を説明する三面図である。
【図５】戸当たりＣの回動状態を説明する図である。
【符号の説明】
【００５６】
Ａ〜Ｃ                    戸当たり
１                        戸当たり部材
１ａ                      先端部
１ｂ                      後端部
２                        第１の台座
３                        第２の台座
４                        壁面
５                        軸
１１                      筒体
１１ａ                    先端
１１ｂ                    後端
１２                      ワイヤ
１３                      固定部材
１３ａ                    固定片
１３ｂ                    座
１４                      バネ
１５                      弾性体
１６                      ナット
１７                      固定バネ受け
１８                      可動バネ受け
２１                      台座
２１ａ                    座
２１ｂ                    円弧部
２１ｃ                    フランジ部
２１ｄ                    バリング部
２２                      固定台座
２２ａ                    穴
２２ｂ                    円弧部
２２ｃ                    固定部
２２ｄ                    側面部
２２ｅ                    バリング部
２３                      皿ねじ
【図１】
2007170037.tif 000003
【図２】
2007170037.tif 000004
【図３】
2007170037.tif 000005
【図４】
2007170037.tif 000006
【図５】
2007170037.tif 000007